(57)【要約】【課題】  レンジフードを取り付ける際、レンジフードの排気口と排気ダクトとの位置の調整を容易に行うことができ、レンジフードの排気口と排気ダクトとを接続することができる。【解決手段】  角形の開口部２１を有し、平板状の受け部材２０と、開口部にスライド可能に嵌合する角形排気筒１１と角形排気筒の一端にフランジ部１２を有する角形排気口部材１０と、開口部とフランジ部との間に生ずる間隙を塞ぐ充填部材３０と、を備え、角形排気筒の縦外径は、開口部の縦内径より小さく、フランジ部の上辺部１４または下辺部１５の一方におけるフランジ部の巾は、開口部の縦内径と角形排気筒の縦外径の差より大きく、充填部材は、角形排気筒が開口部をスライド可能な範囲においてフランジ部の上辺部または下辺部の他方と開口部との間に間隙が生じる場合に、その間隙を塞ぐように取り付けられるレンジフード排気口調整装置。【選択図】  図９
2014228244.tif 000002
【特許請求の範囲】
【請求項１】
排気ダクトとレンジフードの排気口を連通するレンジフード排気口調整装置であって、
前記排気口調整装置は、
角形の開口部を有し、平板状の受け部材と、
前記開口部にスライド可能に嵌合する角形排気筒と該角形排気筒の一端にフランジ部を有する角形排気口部材と、
前記開口部と前記フランジ部との間に生ずる間隙を塞ぐ充填部材と、
を備え、
前記角形排気筒の縦外径は、前記開口部の縦内径より小さく、
前記フランジ部の上辺部または下辺部の一方における前記フランジ部の巾は、前記開口部の縦内径と前記角形排気筒の縦外径の差より大きく、
前記充填部材は、前記角形排気筒が前記開口部をスライド可能な範囲において前記フランジ部の上辺部または下辺部の他方と前記開口部との間に間隙が生じる場合に、該間隙を塞ぐように取り付けられる、
レンジフード排気口調整装置。
【請求項２】
前記充填部材は、
長辺が、前記開口部の横外径より大きく、
短辺が、前記開口部の縦内径から、前記角形排気筒の縦外径と前記フランジ部の上辺部または下辺部の他方のフランジ巾との和を差し引いた差分以上である、
略矩形であることを特徴とする請求項１に記載のレンジフード排気口調整装置。
【請求項３】
前記フランジ部の上辺部または下辺部の他方は、前記角形排気筒の４つの外側面の内で前記フランジ部の上辺部または下辺部の他方側に位置する外側面が前記開口部の内側面と当接する時、前記フランジ部の上辺部または下辺部の他方の先端が、前記フランジ部の上辺部または下辺部の他方に対応する前記受け部材の端部と一致するまたは外側に位置することを特徴とする請求項２に記載のレンジフード排気口調整装置。
【請求項４】
前記受け部材は、少なくとも２つの突起部を有し、
前記フランジ部は、前記突起部が嵌合する短径を有する第一長孔を有し、
前記充填部材は、短辺の両端から延在する延在部を有し、
両前記延在部は、前記突起部が嵌合する短径を有する第二長孔を有し、
両前記延在部の対向する面同志の距離は、前記角形排気筒の横外径より大きいことを特徴とする請求項３に記載のレンジフード排気口調整装置。
【請求項５】
前記充填部材は、前記受け部材と前記角形排気口部材との間に配置され、前記レンジフードに取り付けられることを特徴とする請求項４に記載のレンジフード排気口調整装置。
【請求項６】
前記受け部材は、前記レンジフードの側面の外側から前記レンジフードに当接し取り付けられ、
前記充填部材は、前記突起部が前記レンジフードの側面を介して前記第二長孔に嵌合し、前記レンジフードの側面の内側から取り付けられ、
前記角形排気口部材は、前記突起部が前記レンジフードの側面および前記充填部材を介して前記第一長孔に嵌合し、前記レンジフードの側面の内側から取り付けられる、
ことを特徴とする請求項５に記載のレンジフード排気口調整装置。
【請求項７】
前記充填部材は、異なる短辺の長さから構成される２以上の前記充填部材からなり、
最も短い短辺を有する充填部材の短辺の長さは、前記開口部の縦内径から、前記角形排気筒の縦外径と前記フランジ部の上辺部または下辺部の他方のフランジ巾との和を差し引いた差分より短く、
最も長い短辺を有する充填部材の短辺の長さは、前記開口部の縦内径から、前記角形排気筒の縦外径と前記フランジ部の上辺部または下辺部の他方のフランジ巾との和を差し引いた差分以上の長さである、
ことを特徴とする請求項１に記載のレンジフード排気口調整装置。
【請求項８】
請求項１乃至７のいずれかに記載のレンジフード排気口調整装置を備えるレンジフード。
【発明の詳細な説明】
【技術分野】
【０００１】
本発明は、レンジフード排気口調整装置およびそのレンジフード排気口調整装置を備えたレンジフードに関する。
【背景技術】
【０００２】
近年、キッチンに設置されているレンジフードを交換するリフォームが増えてきている。既設のレンジフードを交換する場合、既設のレンジフードを取り外した後に、新しいレンジフードを設置する。この際、調理により発生した油煙や臭気等を屋外へと排気するためにレンジフードの排気口と排気ダクトとの配管接続が必要となる。しかし、レンジフードは機種毎に排気口の位置が異なるため、既設のレンジフードが接続されていた排気ダクトにそのまま接続することはできないので、住宅側の排気ダクト位置を変更するために排気ダクトを配管し直し、キッチンの壁もしくは天井の張り替えが必要になるなどの作業が必要であった。
【０００３】
また、フード内部に送風機を備える平型レンジフードと呼ばれるタイプのレンジフードの場合には、排気口の位置がフード左側、右側または後方の側面のいずれかになることが多い。したがって、既設のレンジフードがこの平型レンジフードである場合には、交換されて取り付けられる新しいレンジフードの左側、右側または後方の側面のいずれかに既設の排気ダクトが位置している場合がほとんどである。そして、右側面、左側面のいずれかに排気ダクトが位置している場合には、排気ダクトが位置している側はキッチンの壁であり、レンジフードを挟んで反対側にはキッチンキャビネットが配置されていることが多く、新しいレンジフードの側面に排気口を突出させた状態では取り付けが不可能であった。
【発明の概要】
【発明が解決しようとする課題】
【０００４】
そこで、本発明は、上記事情に鑑みてなされたものであり、本発明の目的とするところは、レンジフードを取り付ける際、レンジフードの排気口と排気ダクトとの位置の調整を容易に行うことができ、レンジフードの排気口と排気ダクトとを接続することができるレンジフード排気口調整装置およびそのレンジフード排気口調整装置を備えたレンジフードを提供することにある。
【課題を解決するための手段】
【０００５】
上記課題を解決するために、排気ダクトとレンジフードの排気口を連通するレンジフード排気口調整装置であって、この排気口調整装置は、角形の開口部を有し、平板状の受け部材と、その開口部にスライド可能に嵌合する角形排気筒とその角形排気筒の一端にフランジ部を有する角形排気口部材と、開口部とフランジ部との間に生ずる間隙を塞ぐ充填部材と、を備え、角形排気筒の縦外径は、開口部の縦内径より小さく、フランジ部の上辺部または下辺部の一方におけるフランジ部の巾は、開口部の縦内径と角形排気筒の縦外径の差より大きく、充填部材は、角形排気筒が開口部をスライド可能な範囲においてフランジ部の上辺部または下辺部の他方と開口部との間に間隙が生じる場合に、その間隙を塞ぐように取り付けられる、レンジフード排気口調整装置が提供される。
これによれば、レンジフードを取り付ける際、レンジフードの排気口と排気ダクトとの位置の調整を容易に行うことができ、レンジフードの排気口と排気ダクトとを連通することができるレンジフード排気口調整装置を提供できる。
【０００６】
さらに、充填部材は、長辺が、開口部の横外径より大きく、短辺が、開口部の縦内径から、角形排気筒の縦外径とフランジ部の上辺部または下辺部の他方のフランジ巾との和を差し引いた差分以上である、おおよそ矩形であることを特徴としてもよい。
これによれば、充填部材がかかる矩形であれば、排気口と排気ダクトの関係がいかなる位置関係にあっても、開口部とフランジの間に生じた間隙を充填部材で塞ぐ事ができる。
【０００７】
さらに、フランジ部の上辺部または下辺部の他方は、角形排気筒の４つの外側面の内でフランジ部の上辺部または下辺部の他方側に位置する外側面が開口部の内側面と当接する時、フランジ部の上辺部または下辺部の他方の先端が、フランジ部の上辺部または下辺部の他方に対応する受け部材の端部と一致するまたは外側に位置することを特徴としてもよい。
これによれば、フランジ部の上辺部または下辺部の他方のフランジ巾をなるべく大きくすることで、フランジと充填部材をオーバーラップさせた状態で取り付けできる位置の範囲が大きくなり、調整がより容易になる。
【０００８】
さらに、受け部材は、少なくとも２つの突起部を有し、フランジ部は、突起部が嵌合する短径を有する長孔を有し、充填部材は、短辺の両端から延在する延在部を有し、両延在部は、突起部が嵌合する短径を有する長孔を有し、両延在部の対向する面同志の距離は、角形排気筒の横外径より大きいことを特徴としてもよい。
これによれば、充填部材をスライド可能とすることで、受け部材に対して角形排気口部材の位置をより容易に調整することができ、調整後確実に固定することができる。
【０００９】
さらに、充填部材は、受け部材と角形排気口部材との間に配置され、レンジフードに取り付けられることを特徴としてもよい。
これによれば、充填部材が受け部材と角形排気口部材の間に挟まれて固定されるので、より安定した取り付けを行うことができる。
【００１０】
さらに、受け部材は、レンジフードの側面の外側からレンジフードに当接し取り付けられ、充填部材は、突起部がレンジフードの側面を介して長孔に嵌合し、レンジフードの側面の内側から取り付けられ、角形排気口部材は、突起部がレンジフードの側面および充填部材を介して長孔に嵌合し、レンジフードの側面の内側から取り付けられることを特徴としてもよい。
これによれば、受け部材と充填部材および角形排気口部材とがレンジフード側面の部材を両側から挟み込むことにより、レンジフードの側面に排気口調整装置を確実に取り付けることができる。
【００１１】
さらに、充填部材は、異なる短辺の長さから構成される２以上の充填部材からなり、最も短い短辺を有する充填部材の短辺の長さは、開口部の縦内径から、角形排気筒の縦外径とフランジ部の上辺部または下辺部の他方のフランジ巾との和を差し引いた差分より短く、最も長い短辺を有する充填部材の短辺の長さは、開口部の縦内径から、角形排気筒の縦外径とフランジ部の上辺部または下辺部の他方のフランジ巾との和を差し引いた差分以上の長さであることを特徴としてもよい。
これによれば、２つ以上の充填部材により容易に調整幅を大きく確保することができる。
【００１２】
また、上記課題を解決するために、上記のレンジフード排気口調整装置を備えるレンジフードが提供される。
これによれば、レンジフードを取り付ける際、レンジフードの排気口と排気ダクトとの位置の調整を容易に行うことができるレンジフードを提供することができ、また、住宅側の排気ダクト位置の変更や、キッチンの壁・天井の張り替えが不要となり、さらには、レンジフードの右側面または左側面に排気ダクトが位置している場合でも、容易に取り付けることのできるレンジフードを提供することができる。
【発明の効果】
【００１３】
以上説明したように、本発明によれば、レンジフードを取り付ける際、レンジフードの排気口と排気ダクトとの位置の調整を容易に行うことができ、レンジフードの排気口と排気ダクトとを接続することができるレンジフード排気口調整装置およびそのレンジフード排気口調整装置を備えたレンジフードを提供することができる。
【図面の簡単な説明】
【００１４】
【図１】本発明に係る実施例における受け部材を示す（Ａ）正面図、（Ｂ）背面図、（Ｃ）平面図、（Ｄ）底面図、（Ｅ）側面図。
【図２】本発明に係る実施例における受け部材を示す斜視図。
【図３】本発明に係る実施例における角形排気口部材を示す（Ａ）正面図、（Ｂ）背面図、（Ｃ）平面図、（Ｄ）底面図、（Ｅ）側面図。
【図４】本発明に係る実施例における角形排気口部材を示す斜視図。
【図５】本発明に係る実施例における充填部材を示す（Ａ）正面図、（Ｂ）背面図、（Ｃ）平面図、（Ｄ）底面図、（Ｅ）側面図、（Ｆ）斜視図。
【図６】本発明に係る実施例における排気口調整装置を示す（Ａ）正面図、（Ｂ）背面図、（Ｃ）平面図、（Ｄ）底面図、（Ｅ）側面図。
【図７】本発明に係る実施例における排気口調整装置を示す斜視図。
【図８】本発明に係る実施例におけるレンジフードの展開斜視図。
【図９】本発明に係る実施例における排気口調整装置の部材展開図。
【図１０】本発明に係る実施例における排気口調整装置の取付説明図。
【図１１】本発明に係る実施例におけるレンジフードの斜視図。
【図１２】レンジフードの取付状況を示す説明図。（Ａ）レンジフードの交換前の状況を示す説明図、（Ｂ）レンジフードの側面に排気口を突出させた状態では取り付けが不可能であることを示す説明図、（Ｃ）交換後のレンジフードの排気口と排気ダクトの高さが適合しない場合を示す説明図、（Ｄ）交換後のレンジフードの排気口と排気ダクトの高さが適合した場合を示す説明図。
【発明を実施するための形態】
【００１５】
以下では、図面を参照しながら、本発明に係る各実施例について説明する。
＜実施例＞
図１および図２は、本発明に係る実施例における受け部材２０を示す六面図（側面は右側面図のみ）と斜視図である。受け部材２０は、角形の開口部２１を有し、平板状をなす。本実施例では、受け部材２０は、加工後の板厚が約０．５ｍｍの鉄板をプレス加工により、開口部２１と外形を打ち抜いて平板２３とすることにより作製される。開口部２１を打ち抜く際、開口部２１の左側と右側において爪部２４の部分を残して打ち抜く。残された爪部２４は、未使用状態では平板２３に対して直立した状態であり、レンジフードの排気口に受け部材２０を取り付ける際、内径がレンジフードの側面の肉厚に等しくなるように、背面側に平板２３と対向するようになるまで折り曲げられ、レンジフードの側面を挟み込む。
【００１６】
折り曲げられた部分は、開口部２１の左右両辺を形成し、両者の距離、即ち、開口部２１の横内径はＷＩとして表わされる。従って、開口部２１の横内径ＷＩは、レンジフードの排気口の横径よりやや小さく、排気ダクトの横径よりも小さい。また、開口部２１の上下両辺の距離、即ち、開口部２１の縦内径はＨＩとして表わされる。開口部２１の縦内径ＨＩは、レンジフードの排気口の縦径および排気ダクトの縦径との大小は限定されないが、好ましくは、それらのいずれよりも小さい。
【００１７】
受け部材２０の外形は、四隅の角を落とした矩形であり、縦と横の長さは、開口部２１を維持できる強度を有する程度の巾があればよく、また、縦の長さは、レンジフードの側面の縦の長さより小さく、横の長さは、レンジフードの側面の横の長さより小さければよい。
【００１８】
受け部材２０は、さらに４つの突起部２２を受け部材２０の四隅近傍に有する。突起部２２の数と位置は、これに限定されないが、受け部材２０をレンジフードに取り付けかつ角形排気口部材１０（後述）を固定するためには、一般的にこの数と位置が好ましい。上側の２つの突起部２２は爪部２４と重なる位置に、下側の２つの突起部２２は爪部２４と重ならない位置にあるが、これに限定されない。
【００１９】
突起部２２は、爪部２４を折り曲げた方向と同じ方向、即ち背面側に突起を有し、正面側には突起部を有さない。従って、爪部２４が挟み込んだレンジフードの側面は、突起部２２に対応した位置に、突起部２２に対応する孔や溝を有する。突起部２２は、典型的には、ネジの頭部を受け部材２０と一体化させ、ネジ先を背面側に向けた、雄ネジを備えた軸である。これにより、受け部材２０の正面側は、背面側にある突起部２２や爪部２４などの凹凸は存在せず、平坦であり、レンジフードの取り付けの際障害となる物が無く取り付けやすく、またキッチンの壁などを傷つけるようなことがない。
【００２０】
図３および図４は、本発明に係る実施例における角形排気口部材１０を示す六面図（側面は右側面図のみ）と斜視図である。
角形排気口部材１０は、角形排気筒１１とその角形排気筒１１の一端にフランジ部１２を備える。角形排気口部材１０は、加工後の板厚が約０．５ｍｍで中央付近に孔の空いた鉄板からプレス加工により角形の筒を形成した後筒の端部をトリミングすることで角形排気筒１１を形成し、また、角形排気筒１１以外の部分の周囲をトリミングしてフランジ部１２を形成することにより、作製される。しかし、これに限定されず、角形排気筒とフランジ部を別々に形成し、両者を溶接等により接続することにより、作製してもよい。
【００２１】
角形排気筒１１は、その縦外径としてＨＥと表わされ、またその横外径としてＷＥとして表わされる。角形排気筒１１の縦外径ＨＥは、受け部材２０の開口部２１の縦内径ＨＩより小さく、角形排気筒１１の横外径ＷＥは、受け部材２０の開口部２１の横内径ＷＩとほぼ等しい。ここで、ほぼ等しいとは、開口部２１の左右の辺と角形排気筒１１の左右の外周部とが、大きな隙間を形成することなく、縦方向にガタツキなく互いに摺動できる程度に軽く当接する関係を言う。従って、受け部材２０と角形排気口部材１０は、相対的に互いに横方向に動くことはほとんどなく、相対的に互いに縦方向に動く。即ち、角形排気口部材１０は、角形排気筒１１が受け部材２０の開口部２１にスライド可能に嵌合した状態で、取り付けられる。
【００２２】
フランジ部１２からの角形排気筒１１の立ち上り高さは、角形排気筒１１が排気ダクトに嵌り排気が逆流することのない程度の高さを適宜備えればよい。一般的には、立ち上り高さは、５ｃｍ程度である。なお、角形排気筒１１の内部には、排気の逆流を防止するための逆流防止機構１７が設けられている。
【００２３】
フランジ部１２の下辺部１５におけるフランジ部１２の巾は、開口部２１の縦内径ＨＩと角形排気筒１１の縦外径ＨＥの差より大きい。これにより、角形排気筒１１が、受け部材２０の開口部２１内を縦上方向にスライドし、角形排気筒１１の上側の外面が開口部２１の内側面に当接した場合であっても、下辺部１５の下に間隙が生じて角形排気筒１１以外の部分でレンジフード内部と外部とが連通してしまうことがない。
【００２４】
フランジ部１２の、上下方向におけるもう一方の辺である上辺部１４は、角形排気筒１１を維持でき、取り付けることができる程度の強度を有する十分な巾を備えればよい。しかし、上辺部１４のフランジ巾は、上辺部側に位置する角形排気筒１１の外側面が開口部２１の内側面と当接する時、上辺部１４の先端が、上辺部１４に対応する受け部材２０の端部と一致するまたは外側に位置する巾であることが好ましい。これによれば、フランジ部１２の上辺部１４のフランジ巾をなるべく大きくすることで、フランジ部１２と充填部材３０をオーバーラップさせた状態で取り付けできる位置の範囲が大きくなり、調整がより容易になる。また、この程度であれば、フード３の天面に突き当たることも防止できる。
【００２５】
なお、本実施例では、下辺部１５が開口部２１の縦内径ＨＩと角形排気筒１１の縦外径ＨＥの差より大きいフランジ巾を有するが、上辺部１４が開口部２１の縦内径ＨＩと角形排気筒１１の縦外径ＨＥの差より大きいフランジ巾を有していてもよい。この場合、下辺部１５のフランジ巾は、特に限定されないが、下辺部側に位置する角形排気筒１１の外側面が開口部２１の内側面と当接する時、下辺部１５の先端が、下辺部１５に対応する受け部材２０の端部と一致するまたは外側に位置する巾であることが好ましい。
【００２６】
フランジ部１２の左辺部と右辺部は、角形排気口部材長孔１３を備え、取り付けるための強度を有するに十分な巾を備えればよい。フランジ部１２は、受け部材２０の突起部２２が嵌合する短径を有する角形排気口部材長孔１３を有する。角形排気口部材長孔１３の長径は、開口部２１の縦内径ＨＩと角形排気筒１１の縦外径ＨＥの差にほぼ等しくまたは縦内径ＨＩと縦外径ＨＥの差より大きい。また、角形排気口部材長孔１３の長径方向は、角形排気筒１１が開口部２１の中を角形排気筒１１の縦外径ＨＥが開口部２１の縦内径ＨＩより小さいことにより移動する方向とほぼ同じである。
【００２７】
これにより、角形排気筒１１が、受け部材２０の開口部２１内を縦方向にスライドする際に、突起部２２が角形排気口部材長孔１３に嵌合した状態で同様に縦方向にスライドできる。即ち、そのスライド巾が角形排気口部材長孔１３の長径と一致または角形排気口部材長孔１３の長径の方が大きい、および、そのスライドの方向が角形排気口部材長孔１３の長径方向と一致することにより、角形排気筒１１が開口部２１内をスライドすることを妨げることがない。その結果、受け部材２０に対して角形排気口部材１０の位置をより容易に調整することができる。
【００２８】
図５は、本発明に係る実施例における充填部材３０を示す六面図（側面は右側面図のみ）と斜視図である。
充填部材３０は、受け部材２０の開口部２１と角形排気口部材１０のフランジ部１２との間に生じうる間隙を塞ぐ部材である。受け部材２０と同様、充填部材３０は、加工後の板厚が約０．５ｍｍの鉄板をプレス加工により、充填部材長孔３３と外形を打ち抜いて平板とすることにより作製される。
【００２９】
充填部材３０は、おおよそ矩形をなす矩形部３１と、矩形部３１の短辺の両端から上辺部１４または下辺部１５の一方側へ延在する延在部３２と、延在部３２に突起部２２が嵌合する短径を有する充填部材長孔３３とを備える。充填部材３０は、角形排気筒１１が開口部２１をスライド可能な範囲においてフランジ部１２の上辺部１４または下辺部１５の他方と開口部２１との間に間隙が生じる場合に、その間隙を塞ぐように取り付けられる。本実施例の場合、下辺部１５におけるフランジ部１２の巾が開口部２１の縦内径ＨＩと角形排気筒１１の縦外径ＨＥの差より大きいので、開口部２１との間に間隙が生じるのは上辺部１４の方である。従って、充填部材３０は、角形排気筒１１を開口部２１の中で上下にスライドさせた場合、上辺部１４と開口部２１との間に生じる間隙を塞ぐように取り付けられる。これによれば、レンジフード２を取り付ける際、レンジフード２の排気口と排気ダクトとの位置の調整を容易に行うことができ、レンジフード２の排気口と排気ダクトとを連通することができるレンジフード排気口調整装置１を提供できる。
【００３０】
矩形部３１においては、その長辺が開口部２１の横外径ＷＥより大きく、その短辺が開口部２１の縦内径ＨＩから、角形排気筒１１の縦外径ＨＥとフランジ部１２の上辺部１４のフランジ巾との和を差し引いた差分以上の長さである。これによれば、充填部材３０の矩形部３１がかかる矩形であれば、排気口と排気ダクトの関係がいかなる位置関係にあっても、開口部２１とフランジ部１２の間に生じた間隙を充填部材３０で塞ぐ事ができる。なお、本実施例では、充填部材３０は延在部３２を有するが、矩形部３１のみであっても、開口部とフランジの間に生じる間隙を塞ぐことができる。
【００３１】
２つの延在部３２は、それらの対向する面同志の距離は、角形排気筒１１の横外径ＷＥより大きい。こうすることで、充填部材３０は、角形排気筒１１を跨ぐようにして取り付けることができるので、安定した取り付けが可能となる。なお、延在部３２の長さは、充填部材長孔３３の長径よりも長い。
【００３２】
充填部材長孔３３は、角形排気口部材長孔１３と同様、突起部２２が嵌合する短径を有する。充填部材長孔３３の長径の下端は、フード３の天面に当接する位置が最下点であり、充填部材長孔３３の長径の上端は、角形排気筒１１の下側の外面が開口部２１の内側面に当接した場合であっても（即ち間隙が最大の時）矩形部３１により間隙を塞ぐことができる位置である。また、充填部材長孔３３の長径方向は、角形排気筒１１が開口部２１の中を角形排気筒１１の縦外径ＨＥが開口部２１の縦内径ＨＩより小さいことにより移動する方向とほぼ同じである。このように、充填部材３０をスライド可能とすることで、受け部材に対して角形排気口部材の位置をより容易に調整することができ、調整後確実に固定することができる。
【００３３】
なお、本実施例では、排気口調整装置１は、１つの充填部材３０から構成されているが、これに限定されることはなく、２つ以上の充填部材から構成されてもよい。かかる充填部材は、おおよそ本実施例における矩形部３１のような矩形をなして、互いに長さが異なる短辺を有する。最も短い短辺を有する充填部材の短辺の長さは、開口部２１の縦内径ＨＩから、角形排気筒１１の縦外径ＨＥとフランジ部１２の上辺部１４または下辺部１５の他方（本実施例では上辺部１４）のフランジ巾との和を差し引いた差分より短い。また、最も長い短辺を有する充填部材の短辺の長さは、開口部２１の縦内径ＨＩから、角形排気筒１１の縦外径ＨＥとフランジ部の上辺部１４または下辺部１５の他方（本実施例では上辺部１４）のフランジ巾との和を差し引いた差分以上の長さである。これによれば、２つ以上の充填部材により容易に調整幅を大きく確保することができる。
【００３４】
図６および図７は、本発明に係る実施例における排気口調整装置１を示す六面図（側面は右側面図のみ）と斜視図である。
排気口調整装置１は、住宅設備等の排気ダクトとレンジフードの排気口を接続するレンジフード排気口調整装置であって、角形排気口部材１０と、受け部材２０と、充填部材３０とを有する。角形排気口部材１０、受け部材２０、充填部材３０のそれぞれは、上述した通りである。角形排気口部材１０の角形排気筒１１の縦外径ＨＥは受け部材２０の開口部２１の縦内径ＨＩより小さく、かつ、角形排気筒１１の横外径ＷＥは開口部２１の横内径ＷＩとほぼ等しいため、排気口調整装置１は、角形排気口部材１０の角形排気筒１１が受け部材２０の開口部２１に縦方向にスライド可能に嵌合した状態で、レンジフードの側面に取り付けられる。そして、縦方向にスライドさせ取り付けする位置を調節する際、開口部２１とフランジ部１２との間に間隙が生ずる時はその間隙を充填部材３０で塞ぐ。これによれば、レンジフードを取り付ける際、レンジフードの排気口と排気ダクトとの位置の調整を容易に行うことができ、レンジフードの排気口と排気ダクトとを連通することができるレンジフード排気口調整装置を提供できる。
【００３５】
さらに、受け部材２０の４つの突起部２２は、フランジ部１２の短径を有する角形排気口部材長孔１３と充填部材長孔３３に長径方向にスライド可能に嵌合する。そして、角形排気口部材長孔１３の長径は、開口部２１の縦内径と角形排気筒１１の縦外径の差にほぼ等しく、またはその差より大きい。また、充填部材長孔３３の長径は、その下端は、矩形部３１の下端が上辺部１４の上端と一致する位置で規定される。また、角形排気口部材長孔１３と充填部材長孔３３の長径方向は、角形排気筒１１が開口部２１の中を角形排気筒１１の縦外径が開口部２１の縦内径より小さいことにより移動する方向とほぼ同じである。また、突起部２２は雄ネジを備えた軸であるので、角形排気筒１１が開口部２１にスライド可能に嵌合し、かつ、突起部２２が角形排気口部材長孔１３に嵌合した状態で、後述するように、雌ネジが突起部２２の軸先から挿入され締められる。これにより、受け部材２０に対して角形排気口部材１０の位置をより容易に調整することができ、調整後確実に固定することができるレンジフードの排気口調整装置１を提供することができる。
【００３６】
なお、受け部材に突起部が備えられなくともよい。その場合は、受け部材と角形排気口部材は、両者を位置合わせした後、受け部材の開口部の周辺部と角形排気口部材のフランジ部を接着剤や両面テープ等で固定してもよいし、受け部材にバーリング加工等により雌ねじ部を備えておき、ねじ止めにより固定してもよい。また、突起部はレンジフードの側面に内向きに突出するように備え、受け部材には突起部が挿通する貫通孔を備える構成としてもよい。その場合には、レンジフードの側面に内向きに突出している突起部を受け部材に備えられる貫通孔に挿通するように受け部材をレンジフードの内側から取り付ける。
また、突起部は角形排気口部材側に、長孔は受け部材側に備えられてもよい。その場合は、レンジフードの側面にも角形排気口部材の長孔に対応して同形同大の長孔を備える。
【００３７】
図８は、本発明に係る実施例におけるレンジフード２の、右斜め下から見た展開斜視図である。レンジフード２は、フード３と、フード３の内側上面中央に組み込まれたモーター４と、モーター４に接続されたファン５と、フード３内であってファン５の下方に取り付けられる内面パネル６と、内面パネル６の下方に取り付けられ空気中に含まれる油脂分を捕獲するフィルタ７と、フード３の奥側の側面にある排気口Ｅに取り付けられる排気口調整装置１とを備える平型レンジフードである。排気口Ｅは、フィルタ７の下方にあるコンロ等から発生し、ファン５が吸引した汚染空気を、排気ダクトへ排出する。
【００３８】
図９および図１０を参照し、排気口調整装置１のレンジフード２への取り付け方法を説明する。
排気口調整装置１の受け部材２０は、レンジフード２のフード３の奥側の側面の排気口Ｅの周辺に、フード３の外側からフード３の外側面に当接するまで、突起部２２をそれと対応する溝に挿入させつつ、また、爪部２４を排気口Ｅの左右枠に適合させつつ挿入する（図１０（Ａ）の状態）。なお、排気口Ｅの周辺であって、受け部材２０が当接する部分は、受け部材２０の厚さ分フード３の内側に凹んでいることが好ましい。これにより、受け部材２０が壁に接する正面側の面と、フード３が壁に接する側面とを一致させることができる。
【００３９】
受け部材２０をフード３に当接させた状態で、立った状態の爪部２４を外側に折り曲げ、排気口Ｅの周辺部を挟み込むようにする（図１０（Ｂ）の状態）。こうすることにより、受け部材２０をフード３に当接させた状態で仮留めされる。そして、この仮留め状態で、レンジフード２を所定の場所に設置する。受け部材２０の壁に接する面およびフード３が壁に接する側面には一切凸部は存在しないので、容易にレンジフード２を設置することができる。レンジフード２を所定の場所に設置したこの状態では、受け部材２０の開口部２１を通して、排気ダクトの一部または全部を見ることができる。排気ダクトの縦内径は、通常、開口部２１の縦内径ＨＩより小さいので、開口部２１を通して、排気ダクトの上または下に壁が見える。
【００４０】
レンジフード２を所定の場所に設置した後、充填部材３０が、フード３の内側からフード３の内側面または折り曲げた爪部２４に当接するまで、充填部材長孔３３に突起部２２を挿入する（図１０（Ｃ）の状態）。この状態では、充填部材３０は、開口部２１の上部を塞いでいる状態であるが、固定はされず、まだ上下にスライド可能な状態である。
【００４１】
その後、角形排気口部材１０の角形排気筒１１を受け部材２０の開口部２１に挿入し、かつ、角形排気口部材１０の角形排気口部材長孔１３に受け部材２０の突起部２２を挿入しつつ、角形排気口部材１０の上辺部１４を充填部材３０に、および、角形排気口部材１０の左右辺を折り曲げた爪部２４に、当接させる（図１０（Ｄ）の状態）。開口部２１を通して、排気ダクトの上または下に壁が見えている場合には、壁を避けるように、角形排気口部材１０を上下に適宜スライドさせて、上下方向の位置を調整する。そして、充填部材３０も、角形排気口部材１０のフランジ部１２と開口部２１との関係からその間に間隙が生じないように上下方向の位置を調整する。
【００４２】
角形排気口部材１０の上下方向の位置を調整し終わったら、取り付け用雌ネジ１６を突起部２２の軸先から挿入し、取り付け用雌ネジ１６を締める。この取り付け用雌ネジ１６を強固に締め付けることにより、受け部材２０、充填部材３０、および角形排気口部材１０が一体となり排気口調整装置１を形成し、排気口調整装置１がフード３に本留めされ完全に取り付けられる。
【００４３】
また、受け部材２０、充填部材３０、角形排気口部材１０には、フード３の側面に当接する面や、互いが当接する面には、シーリングのためにウレタンフォーム等のクッション材等を備えてもよい。本図においては、受け部材２０のフード外側面と当接する面に、充填部材３０のフード内側面と当接する面に、角形排気口部材１０のフランジ部１２の充填部材３０およびフード内側面と当接する面に、パッキン４０が備えられている。
【００４４】
従って、受け部材２０は、レンジフード２の側面の外側からレンジフード２に当接し取り付けられ、充填部材３０は、突起部２２がレンジフード２の側面を介して充填部材長孔３３に嵌合し、レンジフード２の側面の内側から取り付けられ、角形排気口部材１０は、突起部２２がレンジフード２の側面および充填部材３０を介して角形排気口部材長孔１３に嵌合し、レンジフード２の側面の内側から取り付けられる。これによれば、受け部材２０と充填部材３０および角形排気口部材１０とがレンジフード側面の部材を両側から挟み込むことにより、レンジフード２の側面に排気口調整装置１を確実に取り付けることができる。
【００４５】
なお、本実施例では、受け部材２０と充填部材３０の間でフード側面を挟んでいるが、これに限定されず、充填部材３０と角形排気口部材１０の間でフード側面を挟んで取り付けてもよい。また、本実施例では、充填部材３０は、受け部材２０と角形排気口部材１０との間に配置され、レンジフード２に取り付けられる。これによれば、充填部材３０が受け部材２０と角形排気口部材１０の間に挟まれて固定されるので、より安定した取り付けを行うことができる。しかし、これに限定されず、充填部材３０が、最も内側にあり、角形排気口部材１０が受け部材２０と充填部材３０の間に挟まれて固定されてもよい。また、受け部材は、フード３の側面の内側から当接するように取り付けられてもよい。この場合、受け部材の爪部は、正面側に折り曲げられ、フード３の側面を挟み込むとともに、受け部材の正面側に接着剤等を塗布し、フード３の排気口Ｅの周辺部に受け部材が取り付けられる。また、本実施例では、排気口調整装置１は、排気口Ｅがレンジフード２の奥側の側面に備えられているので、奥側の側面に取り付けられるが、これに限定されず、排気口Ｅの位置に応じて、レンジフードの右側面や左側面に取り付けられてもよい。
【００４６】
図１１は、本発明に係る実施例の変形例におけるレンジフード２´の、左斜め下から見た斜視図である。レンジフード２´は、排気口Ｅを左側面に備えるフード３´の左側面に受け部材２０と角形排気口部材１０を含むレンジフードの排気口調整装置１を備える。本図に示すように、排気口調整装置１をフード３´に取り付けた状態では、角形排気口部材１０の角形排気筒１１は、フード３´の側面から突出している。従って、レンジフード２´がキッチンなどの所定の位置に設置された後に、本図に示す排気口調整装置１がフード３´に取り付けられた状態となる。
【００４７】
図１２は、レンジフードの取付状況を示す説明図である。図１２（Ａ）は、レンジフードの交換前の状況を示すものである。壁Ｗに接してコンロＣが設置され、コンロＣの上方に交換前のレンジフード２Ａが、壁ＷとキッチンキャビネットＫの間に挟まれて設置されている。排気ダクトＤは、壁Ｗを貫通し、コンロＣからの汚染空気を屋外に排出する。レンジフード２Ａの角形排気筒１１Ａは、排気ダクトＤに適合している。
【００４８】
図１２（Ｂ）は、レンジフード２Ａを取り外した後、同じ場所に新しいレンジフード２Ｂを取り付けようとしている状態を示し、レンジフードの側面に排気口を突出させた状態では取り付けが不可能であることを示すものである。レンジフード２Ｂは、レンジフード２Ｂを取り付ける前から、排気ダクトＤに嵌める角形排気筒１１Ｂがフードの側面から突出しているものである。すると、レンジフード２Ｂを取り付ける際、レンジフード２Ｂの横幅が壁ＷとキッチンキャビネットＫの間の幅と等しいので、角形排気筒１１Ｂが邪魔となって取り付けることはできない。
【００４９】
図１２（Ｃ）は、交換後のレンジフードの排気口と排気ダクトの高さが適合しない場合を示すものである。このレンジフード２Ｃは、本実施例のレンジフード２とは異なり、角形排気筒に相当するフードから突出する部材（１１Ｃ）の位置が固定されているものである。この場合、レンジフード２Ｃを取り付けるためには、排気口から突出する部材（１１Ｃ）が排気ダクトＤに適合しないので、排気ダクトの位置を変える等の工事が必要となる。
【００５０】
図１２（Ｄ）は、交換後のレンジフードの排気口と排気ダクトの高さが適合した場合を示すものである。このレンジフード２´は、本願発明に係るものであり、角形排気口部材１０の角形排気筒１１は、レンジフード２´が取り付けられる際には、取り付けられていないのでフードから突出していることがないため容易に取り付けることができ、また、排気ダクトの位置に合わせて調整できるので、排気ダクトの位置を変える等の工事は不要となる。
【００５１】
従って、本願に係るレンジフード２´では、レンジフード２´を取り付ける際、レンジフード２´の排気口と排気ダクトとの位置の調整を容易に行うことができ、また、住宅側の排気ダクト位置の変更や、キッチンの壁・天井の張り替えが不要となり、さらには、キッチンキャビネットと壁に挟まれた古いレンジフードを交換する場合で、レンジフードの右側面または左側面に排気ダクトが位置している場合でも、容易に取り付けることのできるレンジフードを提供することができる。
【００５２】
なお、本発明は、例示した実施例に限定するものではなく、特許請求の範囲の各項に記載された内容から逸脱しない範囲の構成による実施が可能である。即ち、本発明は、主に特定の実施形態に関して特に図示され、かつ説明されているが、本発明の技術的思想および目的の範囲から逸脱することなく、以上述べた実施形態に関し、形状、材質、数量、その他の詳細な構成において、当業者が様々な変形を加えることができるものである。従って、上記に開示した形状などを限定した記載は、本発明の理解を容易にするために例示的に記載したものであり、本発明を限定するものではないから、それらの形状等の限定の一部もしくは全部の限定を外した部材の名称での記載は、本発明に含まれるものである。
【符号の説明】
【００５３】
１      排気口調整装置
２      レンジフード
３      フード
４      モーター
５      ファン
６      内面パネル
７      フィルタ
Ｄ      排気ダクト
Ｅ      排気口
Ｋ      キッチンキャビネット
Ｃ      コンロ
Ｗ      壁
１０    角形排気口部材
１１    角形排気筒
１２    フランジ部
１３    角形排気口部材長孔
１４    上辺部
１５    下辺部
１６    取り付け用雌ネジ
１７    逆流防止機構
ＨＥ    縦外径
ＷＥ    横外径
２０    受け部材
２１    開口部
２２    突起部（取り付け用雄ネジ）
２３    平板
２４    爪部
３０    充填部材
３１    矩形部
３２    延在部
３３    充填部材長孔
４０    パッキン
ＨＩ    縦内径
ＷＩ    横内径
【図１】
2014228244.tif 000003
【図２】
2014228244.tif 000004
【図３】
2014228244.tif 000005
【図４】
2014228244.tif 000006
【図５】
2014228244.tif 000007
【図６】
2014228244.tif 000008
【図７】
2014228244.tif 000009
【図８】
2014228244.tif 000010
【図９】
2014228244.tif 000011
【図１０】
2014228244.tif 000012
【図１１】
2014228244.tif 000013
【図１２】
2014228244.tif 000014